(57)【要約】【課題】商品陳列時に、視覚的な変化を与えることにより、訴求力に優れた陳列が可能な包装陳列兼用箱を提供する。【解決手段】前面の起立壁１に横切線７の端となる対の切目８を入れて、その間にヒンジ部９を形成し、両側面の起立壁２における横切線７の上方部分及びこれに繋がる天壁６に亘って縦切線１０を設け、商品陳列時には、ヒンジ部９を残して横切線７を切断すると共に、縦切線１０を切断して、縦切線１０の後方部分を除去し、縦切線１０の前方に残存した載受部１１をヒンジ部９を軸として前方に倒した状態で、載受部１１に商品Ｇを載せるようにする。前方に倒した載受部１１に載せた商品Ｇを、後方のトレー状部分に整列した商品Ｇから分離させ、消費者から見やすい角度に傾けて立体的に陳列できるので、訴求力に優れた陳列が可能となる。【選択図】図４
2008062942.tif 000002
【特許請求の範囲】
【請求項１】
周囲各面の起立壁(1,2,3)と底壁(5)及び天壁(6)とから成り、起立壁(1,2,3)に設けた周方向の横切線(7)を切断して、横切線(7)の上方部分を除去し、トレー状となって残存した横切線(7)の下方部分から商品を露出させて陳列する包装陳列兼用箱において、
前面の起立壁(1)に横切線(7)の端となる対の切目(8)を入れて、その間にヒンジ部(9)を形成し、両側面の起立壁(2)における横切線(7)の上方部分及びこれに繋がる天壁(6)に亘って縦切線(10)を設け、商品陳列時には、ヒンジ部(9)を残して横切線(7)を切断すると共に、縦切線(10)を切断して、縦切線(10)の後方部分を除去し、縦切線(10)の前方に残存した載受部(11)をヒンジ部(9)を軸として前方に倒した状態で、載受部(11)に商品を載せるようにしたことを特徴とする包装陳列兼用箱。
【発明の詳細な説明】
【技術分野】
【０００１】
この発明は、商品の輸送時の包装及び店頭での陳列に使用する箱に関するものである。
【背景技術】
【０００２】
従来、周囲各面の起立壁、底壁及び天壁から成り、起立壁に設けた周方向の横切線を切断して、横切線の上方部分を除去し、トレー状となって残存した横切線の下方部分から商品を露出させて陳列する段ボール箱として、下記特許文献１には、横切線の上方部分を分割して除去できるようにしたものが記載されている。
【０００３】
【特許文献１】実開昭６２−２８７２４号公報
【発明の開示】
【発明が解決しようとする課題】
【０００４】
しかしながら、上記のような段ボール箱では、商品を陳列する際、トレー状の残存部から露出する商品が単調に整列した状態で並んでいるため、視覚的な変化に乏しく、訴求力が弱いという問題がある。
【０００５】
そこで、この発明は、商品陳列時に、視覚的な変化を与えることにより、訴求力に優れた陳列が可能な包装陳列兼用箱を提供することを課題とする。
【課題を解決するための手段】
【０００６】
上記課題を解決するため、この発明は、周囲各面の起立壁と底壁及び天壁とから成り、起立壁に設けた周方向の横切線を切断して、横切線の上方部分を除去し、トレー状となって残存した横切線の下方部分から商品を露出させて陳列する包装陳列兼用箱において、前面の起立壁に横切線の端となる対の切目を入れて、その間にヒンジ部を形成し、両側面の起立壁における横切線の上方部分及びこれに繋がる天壁に亘って縦切線を設け、商品陳列時には、ヒンジ部を残して横切線を切断すると共に、縦切線を切断して、縦切線の後方部分を除去し、縦切線の前方に残存した載受部をヒンジ部を軸として前方に倒した状態で、載受部に商品を載せるようにしたのである。
【発明の効果】
【０００７】
この発明に係る包装陳列兼用箱では、商品の陳列に際し、前方に倒した載受部に載せた商品を、後方のトレー状部分に整列した商品から分離させ、消費者から見やすい角度に傾けて立体的に陳列できるので、訴求力に優れた陳列が可能となる。また、従来のケーサーを使用して製箱することができるので、包装コストが上昇することもない。
【発明を実施するための最良の形態】
【０００８】
まず、この発明の第１実施形態を図１乃至図４に基づいて説明する。
【０００９】
この包装陳列箱は、溝切り型の段ボール箱であり、そのブランクでは、図１に示すように、前面の起立壁１の両側に側面の起立壁２が連設され、一方の起立壁２に後面の起立壁３が、他方の起立壁２に継代片４がそれぞれ連設されている。起立壁１，２，３の下端には底壁５が、上端には天壁６がそれぞれ連設されている。
【００１０】
起立壁１，２，３及び継代片４の裏面下部には、組立時に周方向の横切線７となるカットテープが貼着され、起立壁１には、横切線７の端となる横向きＨ字状の一対の切目８の間にヒンジ部９が形成されている。ヒンジ部９には、横切線７に沿って、裏面に断続する半切の切目を入れたリード罫のヒンジ線９ａが設けられている。
【００１１】
起立壁２及びこれに繋がる天壁６には、横切線７の上方の起立壁１寄りに、鉤状の切目が断続するジッパ形式の縦切線１０が設けられ、このうち一方の天壁６には、指入用の押込片６ａ及び切取片６ｂが切目を入れて設けられている。
【００１２】
起立壁１に繋がる天壁６には、幅方向の折目線６ｃが入れられ、この天壁６の先端角部は斜めに切断されている。起立壁３の外側部には、継代片４と重なる部分で横切線７の切断を補助するミシン目状の切目３ａが入れられている。
【００１３】
このようなブランクを組み立てて商品を包装するには、図２に示すように、起立壁１，２，３を角筒状に折り曲げて、継代片４を起立壁３に貼り付け、底壁５を重ね合わせて底面を閉じ、箱内に商品を収納した後、天壁６を重ね合わせて天面を閉じる。
【００１４】
この包装作業においては、粘着テープＴのほか、ホットメルト接着剤でも封緘が可能である。また、商品Ｇの生産事業者が保有する従来のケーサーを使用して製箱し、商品Ｇを包装することができるので、包装コストが上昇することもない。
【００１５】
一方、店頭で商品を陳列するには、横切線７を起立壁１の一側の切目８から起立壁２，３，２を経て他側の切目８までヒンジ部９が残るように切断し、また、押込片６ａを押し込んで指を入れ、切取片６ｂを切り取って天面の粘着テープＴを切断し、切取片６ｂと横切線７の抜出穴に指を入れて、図３に示すように、縦切線１０を切断する。
【００１６】
そして、縦切線１０の後方部分を除去し、縦切線１０の前方に残存した載受部１１を、図４に示すように、ヒンジ部９のヒンジ線９ａを軸として前方に倒し、整列した商品Ｇのうち、箱の前部に収納されていたものを抜き取って、載受部１１に載せる。
【００１７】
ここで、載受部１１は、縦切線１０の後方部分を除去する前でも、内側の天壁６を折目線６ｃに沿って屈曲させることにより、前方に倒すことができる。
【００１８】
上記のような段ボール箱では、前方に倒した載受部１１に載せた商品Ｇを、後方のトレー状部分に整列した商品Ｇから分離させ、消費者から見やすい角度に傾けて立体的に陳列できるので、訴求力に優れた陳列が可能となる。
【００１９】
また、載受部１１による陳列が不要な場合には、ヒンジ部９に残存した横切線７を切目８から切断することにより、載受部１１を除去して、通常のトレー状部分のみを使用した陳列とすることができる。
【００２０】
次に、この発明の第２実施形態を図５乃至図８に基づいて説明する。
【００２１】
この包装陳列箱は、ラップラウンド型の段ボール箱であり、そのブランクでは、図５に示すように、前面の起立壁１の一端に底壁５、後面の起立壁３及び天壁６が順次連設されて、これらの両側にそれぞれ側面の起立壁２が連設され、天壁６の開放端に継代片４が連設されている。
【００２２】
起立壁１，３及びその両側の起立壁２の裏面には、組立時に周方向の横切線７となるカットテープが貼着され、起立壁１には、横切線７の端となる横向きＨ字状の一対の切目８の間にヒンジ部９が形成されている。ヒンジ部９には、横切線７に沿って、表面に押罫のヒンジ線９ａが入れられている。起立壁３の中央部には、横切線７の端となる横向きＨ字状の切目８が１箇所にのみ設けられている。
【００２３】
天壁６及びこれに繋がる起立壁２の裏面には、継代片４寄りに縦切線１０となるカットテープが貼着され、これらの起立壁２の先端側には、縦切線１０の切始部となる切込が入れられている。
【００２４】
このようなブランクを組み立てて商品を包装するには、図６に示すように、底壁５、起立壁１，３、及び天壁６を折り曲げて商品を包み込み、継代片４を起立壁１に貼り付け、起立壁２を折り曲げて両端面を閉じる。この封緘は、ホットメルト接着剤により行う。
【００２５】
一方、店頭で商品を陳列するには、横切線７を起立壁１の両側の切目８から起立壁２までヒンジ部９が残るように切断すると共に、起立壁３の中央部の切目８から両側の起立壁２まで切断する。また、両側の起立壁２及び天壁６にかけて縦切線１０を切断する。
【００２６】
そして、図７に示すように、縦切線１０の後方部分を除去し、縦切線１０の前方に残存した載受部１１を、図８に示すように、ヒンジ部９のヒンジ線９ａを軸として前方に倒した状態とし、整列した商品Ｇのうち、箱の前部に収納されていたものを抜き取って、載受部１１に載せる。
【００２７】
上記のような段ボール箱では、前方に倒した載受部１１に載せた商品Ｇを、後方のトレー状部分に整列した商品Ｇから分離させ、消費者から見やすい角度に傾けて立体的に陳列できるので、訴求力に優れた陳列が可能となる。
【００２８】
また、載受部１１による陳列が不要な場合には、ヒンジ部９に残存した横切線７を切目８から切断することにより、載受部１１を除去して、通常のトレー状部分のみを使用した陳列とすることができる。
【００２９】
なお、上記各実施形態では、前面及び後面の起立壁１，３と両側の起立壁２とが直角のコーナーを形成する直方体の箱を例示したが、コーナーに面取状の傾斜面を形成した箱においても、同様の構成を採用することができる。
【００３０】
また、横切線７として、段ボールの裏面にカットテープを貼着したものを例示したが、横切線７は、段ボールに鉤状の切目を断続的に入れたジッパ形式の切目線や、段ボールを厚さ方向に半分程度切り込んだ半切線から成るものとしてもよい。
【図面の簡単な説明】
【００３１】
【図１】溝切り型包装陳列兼用箱の実施形態のブランクを示す図
【図２】同上の包装状態を示す斜視図
【図３】同上の開封過程を示す斜視図
【図４】同上の陳列状態を示す斜視図
【図５】ラップラウンド型包装陳列兼用箱の実施形態のブランクを示す図
【図６】同上の包装状態を示す斜視図
【図７】同上の開封過程を示す斜視図
【図８】同上の陳列状態を示す斜視図
【符号の説明】
【００３２】
１，２，３  起立壁
４  継代片
５  底壁
６  天壁
６ａ  押込片
６ｂ  切取片
６ｃ  折目線
７  横切線
８  切目
９  ヒンジ部
９ａ  ヒンジ線
１０  縦切線
１１  載受部
【図１】
2008062942.tif 000003
【図２】
2008062942.tif 000004
【図３】
2008062942.tif 000005
【図４】
2008062942.tif 000006
【図５】
2008062942.tif 000007
【図６】
2008062942.tif 000008
【図７】
2008062942.tif 000009
【図８】
2008062942.tif 000010